(57)【要約】【課題】良好な無線通信が可能な位置にアンテナ部材を配置して安定した無線通信を行うことができるデジタルカメラ、アクセサリ装置、カメラシステムを提供すること。【解決手段】撮影時において、レリーズ釦２ａを押す撮影者の指が掛からない位置に配置された選択ダイアル３ａの表面若しくは内部にアンテナ部材を設けるようにする。カメラ１に縦位置グリップ部１ｂが設けられている場合には、カメラ１が縦位置で構えられたときにレリーズ釦２ｂを押す撮影者の指が掛からない位置に配置された選択ダイアル３ｂの表面若しくは内部にもアンテナ部材を設けるようにする。そして、撮影時にレリーズ釦２ａ、２ｂの何れの釦が押されたのかに応じて、無線通信の際に用いるアンテナ部材の選択を行う。【選択図】図１
2006217354.tif 000002
【特許請求の範囲】
【請求項１】
被写体像を撮像するデジタルカメラにおいて、
露光動作の開始を指示する第１のレリーズ釦と、
第１のアンテナ部材を含み、他の通信機器と無線での情報の送受信を行う無線通信手段と、
を具備し、
上記第１のアンテナ部材を、上記第１のレリーズ釦の近傍であって、かつ該第１のレリーズ釦を押す撮影者の指が掛からない位置に配置したことを特徴とするデジタルカメラ。
【請求項２】
上記撮影者の指が掛からない位置は、カメラの撮影モードを選択するモード選択部材の表面又は内部であることを特徴とする請求項１に記載のデジタルカメラ。
【請求項３】
上記モード選択部材は、樹脂材料で構成されていることを特徴とする請求項２に記載のデジタルカメラ。
【請求項４】
請求項１又は請求項２に記載のデジタルカメラに装着され、
露光動作の開始を指示する第２のレリーズ釦と、
上記無線通信手段を介して他の通信機器と無線での情報の送受信を行う第２のアンテナ部材と、
を具備するアクセサリ装置であって、
上記第２のアンテナ部材を、上記第２のレリーズ釦の近傍であって、かつ該第２のレリーズ釦を押す撮影者の指が掛からない位置に配置したことを特徴とするアクセサリ装置。
【請求項５】
請求項４に記載のアクセサリ装置を含むデジタルカメラシステムであって、
少なくとも上記第１のアンテナ部材と上記第２のアンテナ部材とは、ダイバシティアンテナ群を形成しており、
上記ダイバシティアンテナ群の一部又は全部の無線での情報の送受信を有効とするように制御するアンテナ制御手段を具備し、
上記無線通信手段は、上記アンテナ制御手段の制御結果に基づいて無線通信を行うことを特徴とするデジタルカメラシステム。
【請求項６】
上記アンテナ制御手段は、アンテナ部材の通信状態に応じて上記制御を行うことを特徴とする請求項５に記載のデジタルカメラシステム。
【請求項７】
上記第１のレリーズ釦又は上記第２のレリーズ釦の何れかが操作されたことを検出するレリーズ検出手段を更に具備し、
上記アンテナ制御手段は、上記レリーズ検出手段により操作が検出されたレリーズ釦の近傍に配置されたアンテナ部材を有効とするように上記制御を行うことを特徴とする請求項５に記載のデジタルカメラシステム。
【請求項８】
カメラの姿勢を検出する姿勢検出手段を更に具備し、
上記アンテナ制御手段は、上記姿勢検出手段の検出結果に応じて上記制御を行うことを特徴とする請求項５に記載のデジタルカメラシステム。
【請求項９】
上記アンテナ制御手段は、上記姿勢検出手段により上記カメラの姿勢が横位置であることが検出された場合に上記第１のアンテナ部材を有効とし、上記姿勢検出手段により上記カメラの姿勢が縦位置であることが検出された場合に上記第２のアンテナ部材を有効とするように上記制御を行うことを特徴とする請求項８に記載のデジタルカメラシステム。
【請求項１０】
上記アクセサリ装置は、撮影者が撮影時に把持するためのグリップ部を含むことを特徴とする請求項５乃至９の何れか１つに記載のデジタルカメラシステム。
【発明の詳細な説明】
【技術分野】
【０００１】
本発明は、デジタルカメラ、アクセサリ装置、及びデジタルカメラシステムに関する。
【背景技術】
【０００２】
従来、撮影によって得られた画像データなどの情報を他の通信機器に無線送信したり他の情報機器から情報を受信できる無線通信機能を有するデジタルカメラや、デジタルカメラに装着することでデジタルカメラに無線通信機能を付加するアクセサリ装置が各種提案されている。ここで、無線通信を行う場合には、デジタルカメラを操作する撮影者の手などの影響により、無線通信の際のアンテナ部材の特性が大きく影響を受けてしまう。例えば、撮影者の手によってアンテナ部材が覆い隠されてしまったり、アンテナ部材の近くに手がある場合には、アンテナ部材の特性が劣化する。
【０００３】
そこで、特許文献１では、アンテナ部材が手で覆い隠されない位置、具体的には内蔵フラッシュの脇や、ファインダ窓の脇、鏡枠、レンズバリアの根元、補助光窓の脇などにアンテナ部材を配置するようにしている。
【特許文献１】特開２００１−１５７０９９号公報
【発明の開示】
【発明が解決しようとする課題】
【０００４】
しかしながら、近年のデジタルカメラは、金属筐体が用いられているものや金属部品で構成されている部分などが多い。このような金属部品の近傍にアンテナ部材を配置してしまうと、やはりアンテナ部材の特性が低下してしまう。また、デジタルカメラの内部にアンテナ部材を配置するのも、アンテナ部材の特性上必ずしも有効とは言えない。
【０００５】
更に、一眼レフレックスカメラで縦位置撮影用グリップが設けられていたり、縦位置撮影用グリップ装置をアクセサリ装置として取り付け可能なカメラにおいては、カメラを正位置（横位置）以外にも縦位置で構えることも多い。これらのような場合、上記特許文献１のように１箇所のみにアンテナ部材を配置した場合には、デジタルカメラの構える姿勢によってもアンテナ部材の特性が大きく変わってしまう。
【０００６】
本発明は、上記の事情に鑑みてなされたもので、良好な無線通信が可能な位置にアンテナ部材を配置して安定した無線通信を行うことができるデジタルカメラ、アクセサリ装置、カメラシステムを提供することを目的とする。
【課題を解決するための手段】
【０００７】
上記の目的を達成するために、本発明の第１の態様によるデジタルカメラは、被写体像を撮像するデジタルカメラにおいて、露光動作の開始を指示する第１のレリーズ釦と、第１のアンテナ部材を含み、他の通信機器と無線での情報の送受信を行う無線通信手段と、を具備し、上記第１のアンテナ部材を、上記第１のレリーズ釦の近傍であって、かつ該第１のレリーズ釦を押す撮影者の指が掛からない位置に配置したことを特徴とする。
【０００８】
また、上記の目的を達成するために、本発明の第２の態様によるアクセサリ装置は、第１の態様のデジタルカメラに装着され、露光動作の開始を指示する第２のレリーズ釦と、上記無線通信手段を介して他の通信機器と無線での情報の送受信を行う第２のアンテナ部材とを具備するアクセサリ装置であって、上記第２のアンテナ部材を、上記第２のレリーズ釦の近傍であって、かつ該第２のレリーズ釦を押す撮影者の指が掛からない位置に配置したことを特徴とする。
【０００９】
これら第１及び第２の態様によれば、撮影時において撮影者の指が掛からない位置にアンテナ部材を配置するようにしたので、通信時において撮影者の指などによって通信が妨害されることがなく、良好な無線通信を行うことができる。
【００１０】
また、上記の目的を達成するために、本発明の第３の態様によるデジタルカメラシステムは、第２の態様のアクセサリ装置を含むデジタルカメラシステムであって、少なくとも上記第１のアンテナ部材と上記第２のアンテナ部材とは、ダイバシティアンテナ群を形成しており、上記ダイバシティアンテナ群の一部又は全部の無線での情報の送受信を有効とするように制御するアンテナ制御手段を具備し、上記無線通信手段は、上記アンテナ制御手段の制御結果に基づいて無線通信を行うことを特徴とする。
【００１１】
この第３の態様によれば、アンテナ制御手段によって、通信時に適切なアンテナ部材を選択することができるので、第１の態様及び第２の態様に比べてより安定した通信を行うことができる。
【発明の効果】
【００１２】
本発明によれば、良好な無線通信が可能な位置にアンテナ部材を配置して安定した無線通信を行うことができるデジタルカメラ、アクセサリ装置、カメラシステムを提供することができる。
【発明を実施するための最良の形態】
【００１３】
以下、図面を参照して本発明の実施形態を説明する。  
図１（ａ）及び図１（ｂ）は、本発明の一実施形態に係るデジタルカメラ（以下、カメラと称する）の外観図である。ここで、カメラ１は、正位置（横位置）で構えて撮影を行うことができるとともに、縦位置で構えて撮影することもできる。このために、カメラ１の本体には、撮影者が横位置の状態でカメラ１を把持するためのグリップ部１ａと、縦位置の状態でカメラ１を把持するための縦位置グリップ部１ｂとが設けられている。
【００１４】
図１（ａ）は、カメラ１を横位置で構えた時の様子を示す外観図である。図１（ａ）に示すようにグリップ部１ａの近傍には、第１のレリーズ釦としてのレリーズ釦２ａが設けられている。レリーズ釦２ａは、撮影者がカメラ１を横位置で構えた状態で露光動作の開始を指示するための釦である。また、レリーズ釦２ａの近傍であって、図１（ａ）のようにしてカメラ１を構えたときに、レリーズ釦２ａを押す撮影者の指が掛からない位置には、選択ダイアル３ａが配置されている。選択ダイアル３ａは、カメラ１の撮影モードなどを切り換えるためのモード選択部材である。
【００１５】
また、図１（ａ）に示すように、カメラ１の縦位置グリップ部１ｂの近傍にもレリーズ釦２ｂが設けられている。このレリーズ釦２ｂは、図１（ｂ）に示すようにしてカメラ１を縦位置に構えた状態で撮影者が操作できるようになっている。また、レリーズ釦２ｂの近傍であって、図１（ｂ）のようにしてカメラ１を構えたときに、レリーズ釦２ｂを押す撮影者の指が掛からない位置には、選択ダイアル３ｂが配置されている。
【００１６】
図２は、カメラ１のレリーズ釦２ａの近傍を拡大して示した図である。図２に示す例では、選択ダイアルが２つ（選択ダイアル３ａ、選択ダイアル４ａ）が設けられている。本一実施形態においては、これら選択ダイアル３ａ、４ａの少なくとも何れか一方の内部に、アンテナ部材５ａが設けられている。なお、縦位置グリップ部１ｂの近傍に設けられた選択ダイアル３ｂにもこのようなアンテナ部材が設けられている。
【００１７】
ここで、アンテナ部材は、選択ダイアルの表面に配置するようにしても良い。また、アンテナ部材の種類は、特に限定されるものではないが、選択ダイアルの内部や表面に配置するので、チップ型アンテナなどの薄型かつ小型のアンテナ部材を用いることが好ましい。更に、アンテナ部材の特性を劣化させないために、選択ダイアルは、樹脂などの非金属材料で構成することがより好ましい。
【００１８】
このように、レリーズ釦の近傍かつレリーズ釦を押す撮影者の指が掛からない位置に配置された操作部材の表面又は内部にアンテナ部材を配置することにより、無線通信時に撮影者の指などの影響で無線通信品質が損なわれることがない。また、図１（ａ）や図１（ｂ）に示すように、撮影時において、撮影者が押した側のレリーズ釦は上方を向いているので、この近傍に配置されたアンテナ部材も上方を向くことになる。即ち、撮影者が押した側のレリーズ釦の近傍に配置されたアンテナ部材を通信時に用いることにより、良好な通信を行うことができる。
【００１９】
図３は、本発明の一実施形態に係るデジタルカメラの内部の詳細な電気回路構成について示すブロック図である。ここで、図３のデジタルカメラは、デジタル一眼レフレックスカメラを想定しており、レンズユニット１１と、ボディユニット２１とから構成されている。
【００２０】
図３において、レンズユニット１１は、撮影レンズ１２ａ、１２ｂと、絞り１３と、レンズ駆動機構１４と、絞り駆動機構１５と、レンズ制御用マイクロコンピュータ１６とから構成されている。
【００２１】
撮影レンズ１２ａ、１２ｂは、レンズ駆動機構１４内に存在する図示しないＤＣモータによって、その光軸方向（図示一点鎖線で示す方向）に駆動される。絞り１３は、絞り駆動機構１５内に存在する図示しないステッピングモータによって駆動され、撮影レンズ１２ａ、１２ｂを介して入射される図示しない被写体からの光束の光量を調整してボディユニット２１方向に入射させる。レンズ制御用マイクロコンピュータ１６は、レンズ駆動機構１４や絞り駆動機構１５等、レンズユニット１１内の各部を駆動制御する。このレンズ制御用マイクロコンピュータ１６は、レンズ通信コネクタ１７を介して、後述するボディ制御用マイクロコンピュータ２２とデータ通信可能に構成されており、ボディ制御用マイクロコンピュータ２２からの指令に従って制御される。ボディ制御用マイクロコンピュータ２２は、ボディユニット２１内部の、ミラー駆動機構２５、測光回路２９、ＡＦセンサ駆動回路３２、シャッタ駆動制御回路３６、画像処理コントローラ４３等に接続されており、これら各回路や機構の制御も行う。このような制御は、ボディ制御用マイクロコンピュータ２２からアクセス可能に設けられた不揮発性メモリ（例えばＥＥＰＲＯＭ）２３に記憶された所定の制御プログラムに従って行われる。なお、不揮発性メモリ２３には、カメラ制御に必要な所定の制御パラメータも記憶されている。
【００２２】
撮影時には、図示しない被写体からの光束が、レンズユニット１１内の撮影レンズ１２ａ、１２ｂ、及び絞り１３を介してボディユニット２１内のクイックリターンミラー２４に入射される。ここで、クイックリターンミラー２４は、ミラー駆動機構２５により移動可能に構成されている。ミラー駆動機構２５は、クイックリターンミラー２４をアップ位置（撮影レンズ１２ａ、１２ｂの光軸から退避する位置）とダウン位置（図示の位置）とに移動させる。
【００２３】
ミラー駆動機構２５によりクイックリターンミラー２４がダウン位置に移動された時には、撮影レンズ１２ａ及び１２ｂからの光束の一部は、クイックリターンミラー２４で反射されて、フォーカシングスクリーン２６、ペンタプリズム２７を介して接眼レンズ２８に至る。これにより接眼レンズ２８を介して撮影者は被写体を目視観察できる。また、ペンタプリズム２７の近傍には、測光回路２９が配置されている。測光回路２９には図示しないフォトセンサが設けられており、このフォトセンサにおいて検出された光束の光量に基づいて周知の測光処理が行われる。
【００２４】
また、クイックリターンミラー２４に入射した光束の一部はクイックリターンミラー２４を透過して、この透過した光束が、クイックリターンミラー２４に設置されたサブミラー３０で反射される。そして、サブミラー３０で反射された光束は、自動測距を行うためのＡＦセンサユニット３１に導かれる。ＡＦセンサユニット３１内には、図示しないＡＦセンサが設けられており、このＡＦセンサからの出力は、ＡＦセンサ駆動回路３２を介してボディ制御用マイクロコンピュータ２２へ送信される。そして、ボディ制御用マイクロコンピュータ２２において周知の測距処理が行われる。
【００２５】
また、クイックリターンミラー２４の後方には、フォーカルプレーン式のシャッタユニット３４と、光学系を通過した被写体像を光電変換するための撮像素子（ＣＣＤ）を収容した撮像ユニット３５とを備えた撮像モジュールが設けられている。
【００２６】
ここで、シャッタユニット３４は、シャッタ駆動制御回路３６により開閉駆動される。シャッタ駆動制御回路３６に、ボディ制御用マイクロコンピュータ２２からのシャッタ駆動制御信号が入力されると、その信号に基づいてシャッタユニット３４が制御される。それと共に、シャッタ駆動制御回路３６から、所定のタイミングでストロボを発光させるためのストロボ同調信号が、ボディ制御用マイクロコンピュータ２２に出力される。このストロボ同調信号に基づいて、ボディ制御用マイクロコンピュータ２２からストロボユニット３７に発光指令信号が出力される。
【００２７】
ここで、ストロボユニット３７は、閃光発光部３８と、ストロボ発光回路３９と、ストロボ制御用マイクロコンピュータ４０とから構成されている。また、ストロボユニット３７は、ストロボ通信コネクタ４１を介してボディユニット２１と通信可能に装着できるようになっている。
【００２８】
ミラー駆動機構２５によりクイックリターンミラー２４がアップ位置に移動され、シャッタ駆動制御回路３６によりシャッタが開かれると、撮影レンズ１２ａ及び１２ｂを通過した光束は撮像素子に結像される。ここで、クイックリターンミラー２４がアップ位置にある時には、サブミラー３０は折り畳まれるようになっている。
【００２９】
撮像素子には、撮像素子インターフェイス回路４２が接続されている。撮像素子インターフェイス回路４２では、ボディ制御用マイクロコンピュータ２２からの撮像信号読み出し開始信号に従って、撮像素子における光電変換によって得られた撮像信号が読み出される。その後、読み出された撮像信号がデジタルの画像データに変換され、変換された画像データが画像処理コントローラ４３を介して一時保管用のバッファメモリであるＳＤＲＡＭ４４に書き込まれる。このＳＤＲＡＭ４４は、画像データが変換される際のワークエリア等に使用されている。
【００３０】
ＳＤＲＡＭ４４に書き込まれた画像データは、画像処理コントローラ４３により読み出される。画像処理コントローラ４３では、画像データに対し、ホワイトバランス補正処理、色変換処理、ガンマ変換処理等の周知の画像処理が施される。その後、周知のＪＰＥＧ圧縮処理が施される。このようにして圧縮された画像データがＳＤＲＡＭ４４に書き込まれる。このＳＤＲＡＭ４４に書き込まれた画像データが、画像処理コントローラ４３により再び読み出され、通信コネクタ４５を介して記録メディア４６に記録される。ここで、記録メディア４６は、各種のメモリカードや外付けのハードディスクドライブ（ＨＤＤ）等の外部記録媒体であり、通信コネクタ４５を介してボディユニット２１と通信可能、かつ交換可能に装着される。
【００３１】
また、ボディ制御用マイクロコンピュータ２２には、更に動作表示用ＬＣＤ４７と、カメラ操作スイッチ（ＳＷ）４８と、姿勢センサ５０と、無線通信回路５１とが接続されている。
【００３２】
動作表示用ＬＣＤ４７は、カメラ１の動作状態を表示出力によって撮影者へ告知するためのものである。
【００３３】
また、レリーズ検出手段としてのカメラ操作ＳＷ４８は、上記レリーズ釦２ａ、２ｂの操作によってオンオフするレリーズスイッチや、選択ダイアル３ａ、３ｂの操作によって状態が切り換わるモード選択スイッチ、及びカメラの電源をオンオフするためのパワースイッチ等のスイッチ群で構成され、レリーズ釦や選択ダイアルなどの操作部材の操作状態が検出される。
【００３４】
例えば、撮影者によって選択ダイアル３ａが操作されて、カメラの動作モードが撮影モードから画像表示モードへ切り替えられると、記録メディア４６に保管された画像データが画像処理コントローラ４３により読み出されて伸長される。その後、伸長されたデータがビデオ信号に変換され、液晶モニタ４９に画像表示が行われる。
【００３５】
また、姿勢センサ５０では、カメラ１の姿勢が検出され、その姿勢検出結果がアンテナ制御手段としてのボディ制御用マイクロコンピュータ２２に出力される。ボディ制御用マイクロコンピュータ２２では、アンテナ部材の通信状態に応じて、通信時に有効とするアンテナ部材の選択が行われる。この結果は、画像処理コントローラ４３を介して入力された画像データなどの各種情報とともに、無線通信手段としての無線通信回路５１に通知される。無線通信回路５１では、ボディ制御用マイクロコンピュータ２２から入力された画像データなどの各種情報に対し、変調処理などの無線送信のための種々の処理が行われる。そして、ボディ制御用マイクロコンピュータ２２において有効とされたアンテナ部材を介してカメラ外部の他の通信機器に画像データなどの各種情報が送信される。また、画像データなどの各種情報を受信する際には、アンテナ部材の受信感度などに応じて適切なアンテナ部材が選択される。そして、その選択されたアンテナ部材を介して受信された画像データなどの各種情報に対して、復調処理などの受信のための種々の処理が行われる。
【００３６】
ここで、本一実施形態では、選択ダイアル３ａ、３ｂの内部にそれぞれ設けられたアンテナ部材５ａとアンテナ部材５ｂとでダイバシティアンテナ群を構成しており、無線通信時における各アンテナ部材の通信状態によって、これらアンテナ部材のうちの一方若しくは両方を用いて画像データなどの各種情報の送信が行われるようになっている。これにより、カメラの姿勢などが変化して、各アンテナ部材の通信状態が変化しても、安定した無線通信を行うことができる。
【００３７】
次に、上記したようなデジタルカメラにおける無線通信の際のアンテナ部材の選択制御について説明する。なお、ここでは、撮影によって得られた画像データをカメラ外部の他の通信機器に送信する際の例について説明する。
【００３８】
図４は、撮影時に撮影者によって押されたレリーズ釦に応じて、画像データ送信の際に用いるアンテナ部材を選択する制御を行うためのフローチャートである。
【００３９】
本カメラの電源がＯＮされ、撮影者によって撮影モードが選択されると（ステップＳ１）、測光処理や測距処理などの撮影準備処理が開始される（ステップＳ２）。その後、撮影者によってレリーズ釦２ａ、２ｂの何れかの釦が押されたか否かが判定される（ステップＳ３）。レリーズ釦が押されていない場合には、押されるまで待機する。
【００４０】
一方、ステップＳ３の判定において、レリーズ釦が押された場合には、押されたレリーズ釦が正位置側のレリーズ釦２ａであるか否かが判定される（ステップＳ４）。ステップＳ４の判定において、撮影者によって押されたレリーズ釦がレリーズ釦２ａであると判定された場合には、アンテナ部材５ａが有効となるように選択される（ステップＳ５）。即ち、この場合は、撮影者がカメラ１を正位置（横位置）で構えている状態である。横位置の場合は、アンテナ部材５ａが上方を向いているので、アンテナ部材５ａを用いた通信を行うことが好ましい。そこで、レリーズ釦２ａが押された場合には、アンテナ部材５ａを介して画像データの送信を行えるようにする。また、ステップＳ４の判定において、撮影者によって押されたレリーズ釦がレリーズ釦２ｂであると判定された場合には、アンテナ部材５ｂが有効となるように選択される（ステップＳ６）。即ち、この場合は、撮影者がカメラ１を縦位置で構えている状態である。縦位置の場合には、アンテナ部材５ｂが上方を向いているので、アンテナ部材５ｂを用いた通信を行うことが好ましい。
【００４１】
ステップＳ５若しくはステップＳ６において、有効とするアンテナ部材が選択された後、撮影処理が行われ（ステップＳ７）、撮像素子を介して被写体像が撮像される。その後、被写体像が画像処理コントローラ４３において画像処理され（ステップＳ８）、バッファメモリとしてのＳＤＲＡＭ４４に書き込まれる（ステップＳ９）。このようにしてＳＤＲＡＭ４４に書き込まれた画像データに基づいて、液晶モニタ４９に確認用の画像表示が行われる（ステップＳ１０）。なお、ステップＳ７〜ステップＳ１０の処理はステップＳ４〜ステップＳ６の処理と並列して行うようにしても良い。
【００４２】
その後、撮影者によって画像の送信選択がなされると（ステップＳ１１）、無線通信回路５１において送信処理が実行され（ステップＳ１２）、画像データの送信が開始される（ステップＳ１３）。その後、画像データの送信が完了されると（ステップＳ１４）、ＳＤＲＡＭ４４に書き込まれていた画像データが削除され（ステップＳ１５）、図４のフローチャートの処理が終了する。
【００４３】
図５は、撮影時におけるカメラの姿勢に応じて、画像データ送信の際に用いるアンテナ部材を選択する制御を行うためのフローチャートである。
【００４４】
本カメラの電源がＯＮされ、撮影者によって撮影モードが選択されると（ステップＳ２１）、測光処理や測距処理などの撮影準備処理が開始される（ステップＳ２２）。その後、カメラ１の姿勢が検出され、カメラ１の姿勢が正位置であるか否かが判定される（ステップＳ２３）。
【００４５】
ステップＳ２３の判定において、カメラ１の姿勢が正位置であると判定された場合には、アンテナ部材５ａが有効となるように選択される（ステップＳ２４）。一方、ステップＳ２３の判定において、カメラ１の姿勢が縦位置であると判定された場合には、アンテナ部材５ｂが有効となるように選択される（ステップＳ２５）。
【００４６】
ステップＳ２４若しくはステップＳ２５において、有効とするアンテナ部材が選択された後、撮影処理が行われ（ステップＳ２６）、撮像素子を介して被写体像が撮像される。その後、被写体像が画像処理コントローラ４３において画像処理され（ステップＳ２７）、ＳＤＲＡＭ４４に書き込まれる（ステップＳ２８）。このようにしてＳＤＲＡＭ４４に書き込まれた画像データに基づいて、液晶モニタ４９に確認用の画像表示が行われる（ステップＳ２９）。
【００４７】
その後、撮影者によって画像の送信選択がなされると（ステップＳ３０）、無線通信回路５１において送信処理が実行され（ステップＳ３１）、画像データの送信が開始される（ステップＳ３２）。その後、画像データの送信が完了されると（ステップＳ３３）、ＳＤＲＡＭ４４に書き込まれていた画像データが削除され（ステップＳ３４）、図５のフローチャートの処理が終了する。
【００４８】
なお、図４及び図５の例は、送信の際の例について説明しているが、図５のカメラ１の姿勢に応じてアンテナ部材を選択する手法は、受信の場合にも利用することができる。
【００４９】
以上説明したように、本一実施形態によれば、撮影時に撮影者が押したレリーズ釦の近傍であって、撮影時にレリーズ釦を押す撮影者の指が掛からない釦の内部や表面にアンテナ部材を配置するようにしているので、撮影者の指などによって通信が妨害される可能性が低減され、良好な通信を行うことができる。また、縦位置撮影用のグリップ部が設けられている場合には、縦位置撮影用のグリップ部の側に設けられたレリーズ釦近傍であって、撮影時にレリーズ釦を押す撮影者の指が掛からない位置の釦の内部や表面にも、アンテナ部材を配置するようにしている。これにより、カメラの姿勢によって適切なアンテナ部材を選択でき、常に安定した通信を行うことができる。
【００５０】
ここで、本発明の一実施形態で説明したような手法は、図６に示すようなデジタルカメラ１と縦位置撮影用グリップ装置１０１とから構成されるデジタルカメラシステムにも適用することができる。
【００５１】
図６に示す縦位置撮影用グリップ装置１０１は、デジタルカメラ１に対して着脱自在に構成されたアクセサリ装置であり、三脚ねじ１０６によってデジタルカメラ１に固定されるようになっている。また、図６に示すように、縦位置撮影用グリップ装置１０１にも、図１や図２で説明したようなレリーズ釦１０２や選択ダイアル１０３が設けられている。このような縦位置撮影用グリップ装置１０１にアンテナ部材を設ける際には、上記した一実施形態と同様に、レリーズ釦１０２の近傍であって、撮影時にレリーズ釦を押す撮影者の指が掛からない選択ダイアル１０３の内部若しくは表面に設けるようにする。
【００５２】
ここで、上記した一実施形態においては、アンテナ部材を選択ダイアルに設けるようにしているが、アンテナ部材は必ずしも選択ダイアル１０３に設ける必要がなく、撮影時に撮影者の指などで通信が妨害されないような他の操作部材の表面若しくは内部に設けるようにしても良い。また、アンテナ部材の数も２つに限るものではなく、３つ以上のアンテナを用意してダイバシティアンテナ群を構成するようにしても良い。
【００５３】
以上実施形態に基づいて本発明を説明したが、本発明は上記した実施形態に限定されるものではなく、本発明の要旨の範囲内で種々の変形や応用が可能なことは勿論である。
【００５４】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５５】
【図１】図１（ａ）は本発明の一実施形態に係るデジタルカメラを横位置で構えた時の様子を示す外観図であり、図１（ｂ）は本発明の一実施形態に係るデジタルカメラを縦位置で構えた時の様子を示す外観図である。
【図２】レリーズ釦２ａの近傍を拡大して示した図である。
【図３】本発明の一実施形態に係るデジタルカメラの内部の詳細な電気回路構成について示すブロック図である。
【図４】本発明の一実施形態に係るデジタルカメラにおいて、撮影時に撮影者によって押されたレリーズ釦に応じてアンテナ部材を選択する制御を行うためのフローチャートである。
【図５】本発明の一実施形態に係るデジタルカメラにおいて、撮影時におけるカメラの姿勢に応じてアンテナ部材を選択する制御を行うためのフローチャートである。
【図６】デジタルカメラシステムの外観図である。
【符号の説明】
【００５６】
１…デジタルカメラ、１ａ…グリップ部、１ｂ…縦位置グリップ部、２ａ，２ｂ，１０２…レリーズ釦、３ａ，４ａ，１０３…選択ダイアル、５ａ，５ｂ…アンテナ部材、１１…レンズユニット、１２ａ，１２ｂ…撮影レンズ、１３…絞り、１４…レンズ駆動機構、１５…絞り駆動機構、１６…レンズ制御用マイクロコンピュータ、１７…レンズ通信コネクタ、２１…ボディユニット、２２…ボディ制御用マイクロコンピュータ、２３…不揮発性メモリ、２４…クイックリターンミラー、２５…ミラー駆動機構、２６…フォーカシングスクリーン、２７…ペンタプリズム、２８…接眼レンズ、２９…測光回路、３０…サブミラー、３１…ＡＦセンサユニット、３２…ＡＦセンサ駆動回路、３３…ボディ制御用マイクロコンピュータ、３４…シャッタユニット、３５…撮像ユニット、３６…シャッタ駆動制御回路、３７…ストロボユニット、３８…閃光発光部、３９…ストロボ発光回路、４０…ストロボ制御用マイクロコンピュータ、４１…ストロボ通信コネクタ、４２…撮像素子インターフェイス回路、４３…画像処理コントローラ、４４…ＳＤＲＡＭ、４５…通信コネクタ、４６…記録メディア、４７…動作表示用ＬＣＤ、４８…カメラ操作スイッチ（ＳＷ）、４９…液晶モニタ、５０…姿勢センサ、５１…無線通信回路、１０１…縦位置撮影用グリップ装置
【図１】
2006217354.tif 000003
【図２】
2006217354.tif 000004
【図３】
2006217354.tif 000005
【図４】
2006217354.tif 000006
【図５】
2006217354.tif 000007
【図６】
2006217354.tif 000008